(57)【要約】      （修正有）【課題】金属線を小型のコイルボビンに多数回手巻きすることが容易な巻線ホルダを提供する。【解決手段】所定の曲率中心Ｏに基づいて、同一半径Ｒ１の円弧面ＳＦを有する円環部３０と、円環部３０の円弧面から内向きに窪んだ係止面ＥＮを有する係止部３１とが、径方向に伸縮可能な幅寸法を有して一体的に連設されることで、全体として略リング形状に形成される。係止面ＥＮの間の最短距離Ｌは、多数巻して略円形に束ねられたコイル巻線の最大内径とほぼ同一に設定されていることで、巻線ホルダＨＤに保持されたコイル巻線が、もとの束ね形状をほぼ維持する。【選択図】図３
0003177701.tif 000002
【実用新案登録請求の範囲】
【請求項１】
コイルボビンに多数回巻かれるコイル巻線を、巻き出し可能に保持する巻線ホルダであって、
第一方向とこれに直交する第二方向に伸縮可能な幅寸法を有して、全体として閉じた形状に形成され、この閉じた形状の一部を内向きに変形させることで、一対の係止部が形成され、
前記一対の係止部の最小離間距離は、多数巻して略円形に束ねられたコイル巻線の装着状態において、その最大内径とほぼ同一に設定され、巻線ホルダに保持されたコイル巻線が、略円形の束ね形状をほぼ維持するよう構成されていることを特徴とする巻線ホルダ。
【請求項２】
第一方向の対称位置に形成される外側部は、所定の曲率中心に基づいて、同一半径の円弧面を有する円環部で構成され、
第二方向の対称位置に形成される内側部は、円環部の円弧面から内向きに窪んだ係止面を有する係止部で構成されることで、全体として略リング形状に形成されている請求項１に記載の巻線ホルダ。
【請求項３】
合成樹脂材料によって一体成形されている巻線ホルダであって、
前記係止部は、略リング形状の二箇所にだけ設けられている請求項２に記載の巻線ホルダ。
【請求項４】
前記係止部の係止面の全部又は一部は、略リング形状の外側に曲率中心が位置する逆曲率の円弧面を有して形成されている請求項２又は３に記載の巻線ホルダ。
【請求項５】
請求項１〜請求項４の何れかに記載のコイルボビンと巻線ホルダとコイル巻線とを含んで構成された理科教材。
【請求項６】
請求項１〜請求項４の何れかに記載のコイルボビンと巻線ホルダとを含むと共に、請求項５に記載の補助器具を更に含んで構成された理科教材。
【考案の詳細な説明】
【技術分野】
【０００１】
本考案は、コイルボビンにコイル巻線を手巻きする場合に、円滑にコイル巻線を巻き出すことができる巻線ホルダ、及び巻線ホルダを含んだ理科教材に関する。
【背景技術】
【０００２】
小学校の理科実験として、電流と電磁石に関する組立実験が実施されることがある。この理科実験では、直径１ｃｍ程度の小型のコイルボビンに、エナメル線などのコイル巻線を手巻きして電磁石を製作している。そして、電磁石のコイル巻線に電流を流すと、鉄くぎや方位磁針などを引き付けることができることを体験させている。また、電流の方向が変ると、方位磁針の移動方向が変ること、或いは、コイル巻線の巻線が増えると、強力な磁石となることなどを確認することができる。
【考案の概要】
【考案が解決しようとする課題】
【０００３】
上記の理科実験では、コイル巻線として、それ程細くない直径０．５ｍｍ程度のエナメル線を使用する上に、必要な磁力を得るためには、小型のコイルボビンに１００回程度はエナメル線を手巻きする必要があるので、この手巻き作業が簡単ではないという問題があった。すなわち、コイル状に束ねたエナメル線を巻き取りながら、これを小型のコイルボビンに繰り返し手巻きすると、その途中でエナメル線が折り返されて解れたり絡まることで、図６（ｂ）のように、複雑に絡まった形状に変形してしまうことがあった。
【０００４】
このような場合、変形したエナメル線を元の形状に復帰させる必要があるが、この復帰作業のために、折角、途中まで巻いたエナメル線がコイルボビンから緩んでしまうこともあり、このような場合には、もう一度、最初から巻き直すことになった。そして、あまり器用ではない生徒は、このようなやり直し作業を繰り返すこともあり、その結果、やる気を無くしてしまい、折角の教材を活用できない場合もあった。
【０００５】
本考案は、上記の問題に鑑みてなされたものであって、金属線を小型のコイルボビンに多数回手巻きすることが容易な巻線ホルダ、及びこれを使用する理科教材を提供することを目的とする。
【課題を解決するための手段】
【０００６】
上記の目的を達成するため、本考案は、コイルボビンに多数回巻かれるコイル巻線を、巻き出し可能に保持する巻線ホルダであって、第一方向とこれに直交する第二方向に伸縮可能な幅寸法を有して、全体として閉じた形状に形成され、この閉じた形状の一部を内向きに変形させることで、一対の係止部が形成され、前記一対の係止部の最小離間距離は、多数巻して略円形に束ねられたコイル巻線の装着状態において、その最大内径とほぼ同一に設定され、巻線ホルダに保持されたコイル巻線が、略円形の束ね形状をほぼ維持するよう構成されている。
【０００７】
本考案において、略円形とは、真円形状に限らず、楕円形、長円形、角の丸い矩形など、角のない丸みのある形状を意味する。本考案では、コイル巻線の束ね形状がこのような略円形である場合に、巻線ホルダに保持された後も、もとの束ね形状をほぼ維持するので、コイル巻線を巻き出しても絡まることがない。すなわち、一体化された巻線ホルダ及びコイル巻線が、全体として略円形の丸みを維持するので、巻線ホルダ及びコイル巻線が適宜に転がって、コイル巻線が円滑に巻き出される。
【０００８】
また、第一方向や第二方向に伸縮可能な幅寸法を有して構成されているので、コイル巻線の巻線ホルダへの取り付けに困難はない。なお、本考案は、少なくとも一対の係止部を設けることを趣旨としており、二対以上の係止部を設けることを何ら禁止しない。
【０００９】
本考案の巻線ホルダは、典型的には、図３に示すような略リング形状であり、第一方向の対称位置に形成される外側部は、所定の曲率中心に基づいて、同一半径の円弧面を有する円環部で構成され、第二方向の対称位置に形成される内側部は、円環部の円弧面から内向きに窪んだ係止面を有する係止部で構成されることで、全体として略リング形状に形成されるのが好ましい。
【００１０】
但し、略リング形状に限定されるものではなく、図９に示すような屈曲形状としても良い。この場合も、第一方向と第二方向に伸縮可能な幅寸法を有して一体的に連設され、閉じた形状の一部を内向きに変形させることで、一対の係止部が形成されている。
【００１１】
本考案は、好ましくは、合成樹脂材料によって一体成形されている巻線ホルダであって、前記係止部は、略リング形状の二箇所にだけ設けられているのが簡易的である。また、前記係止部の係止面の全部又は一部は、略リング形状の外側に曲率中心が位置する逆曲率の円弧面を有して形成されているのが典型的である。
【００１２】
前記コイルボビンは、好適には、コイル巻線が巻かれる円筒本体部と、円筒本体部の両端に位置して外方に延びるフランジ部と、を有して構成され、前記フランジ部には、コイル巻線が通過可能な貫通穴と、コイル巻線を巻き取り可能な係止溝とが設けられているべきである。
【００１３】
また、コイル巻線の手巻き作業時に、コイルボビンと一体化されて使用される補助部材は、開口を有する板状に形成された本体部と、本体部から第一方向に突出してコイルボビンの中に挿入可能な突出軸部と、本体部から第一方向に略直交して形成された延設部とを有して構成され、前記延設部には、コイル巻線を巻き取り可能な係止溝が形成されているのも好適である。
【００１４】
また、本考案は、請求項１〜請求項５の何れかに記載のコイルボビンと巻線ホルダとコイル巻線とを含んで構成された理科教材でもある。あるいは、請求項１〜請求項５の何れかに記載のコイルボビンと巻線ホルダとを含むと共に、請求項６に記載の補助器具を更に含んで構成された理科教材でもある。
【考案の効果】
【００１５】
上記した本考案によれば、金属線を小型のコイルボビンに多数回手巻きすることが容易な巻線ホルダ、及びこれを使用する理科教材を実現することができる。
【図面の簡単な説明】
【００１６】
【図１】実施例に係る理科教材の一部を示す図面である。
【図２】コイル巻線とコイルボビンを示す図面である。
【図３】巻線ホルダを示す図面である。
【図４】巻線ホルダの使用方法を説明する図面である。
【図５】コイルボビンにコイル巻線を手巻きする方法を説明する図面である。
【図６】従来の理科教材の問題点を説明する図面である。
【図７】巻線ホルダの変形構成を示す図面である。
【図８】補助部材の変形構成を示す図面である。
【図９】巻線ホルダの変形構成を示す図面である。
【考案を実施するための形態】
【００１７】
以下、実施例に基づいて本考案を更に詳細に説明する。図１〜図３は、実施例に係る理科教材の一部を示す斜視図であり、この理科教材は、例えば、小学校の「電流と電磁石」の理科実験で使用される。
【００１８】
図１に示す通り、この理科教材は、多数巻して略楕円状に束ねられたコイル巻線ＷＲと、コイル巻線ＷＲが手巻きされるコイルボビンＢＯＢと、コイル巻線ＷＲを巻き出し可能に保持する略リング状の巻線ホルダＨＤと、電磁石の製作時にコイルボビンＢＯＢの貫通穴ＨＯに挿入される補助部材ＳＵＢと、電磁石の完成後にコイルボビンＢＯＢの貫通穴ＨＯに挿入される磁性コアＣＯとが示されている。
【００１９】
ここで、コイルボビンＢＯＢ、巻線ホルダＨＤ、及び、補助部材ＳＵＢは、何れも、合成樹脂による一体成形品として構成されている。そして、理科実験では、コイル巻線ＷＲの巻かれたコイルボビンＢＯＢの貫通穴ＨＯに、円柱形状の磁性コアＣＯが挿入されることで電磁石として完成状態となる。
【００２０】
コイル巻線ＷＲは、例えば、直径０．５ｍｍ程度のエナメル線であって、略円形又は略楕円形に巻き束ねた状態で提供される。但し、図示例では、巻き回数が４０〜５０回であって、巻き束ねた内径寸法が、６ｃｍ程度の長径Φ１と、３ｃｍ程度の短径Φ２となる略楕円形となっている（図２参照）。
【００２１】
図２に示す通り、コイルボビンＢＯＢは、外径寸法が１ｃｍ程度の円筒本体部１と、円筒本体部１の両端に位置する同一形状のフランジ部２Ａ，２Ｂとで構成されている。フランジ部２Ａ，２Ｂは、やや肉厚で略直角形状の角型本体部２０と、角型本体部２０から上下に連設された薄肉の連設部２１とに区分される。
【００２２】
そして、上側の連設部２１には、コイル巻線ＷＲが通過可能な通過穴３と、コイル巻線ＷＲを係止可能な上部係止溝４と、コイル巻線を巻回可能な左右係止溝５，６とが形成されている。
【００２３】
補助部材ＳＵＢは、図１に示す通り、矩形状の開口を有する矩形本体部１０と、矩形本体部１０から使用時の水平方向に突出する円柱形状の突出軸部１１と、突出軸部１１に直交して延設された延設部１２と、突出軸部１１の基端に形成された円盤フランジ１３と、を有して構成されている。
【００２４】
延設部１２には、コイル巻線ＷＲを巻き取り可能な係止溝ＧＶ，ＧＶが左右方向に形成されている。また、突出軸部１１の外径寸法は、コイルボビンＢＯＢの貫通穴ＨＯの内径寸法にほぼ一致して、やや細く形成されている。
【００２５】
そのため、補助部材ＳＵＢの突出軸部１１を、コイルボビンＢＯＢの貫通穴ＨＯの限界位置まで挿入すると、コイルボビンＢＯＢと補助部材ＳＵＢとが固定的に一体化されることで、コイル巻線ＷＲの手巻き作業が容易化される。なお、突出軸部１１を限界位置まで挿入すると、突出軸部１１の全体が、コイルボビンＢＯＢの貫通穴ＨＯに埋没され、補助部材ＳＵＢの円盤フランジ１３が、コイルボビンＢＯＢの円筒本体部１の基端面に当接される。
【００２６】
図３に示す通り、巻線ホルダＨＤは、曲率中心Ｏに基づいて、同一の外径寸法の円弧面ＳＦを形成する左右の円環部３０，３０と、円環部３０の円弧面ＳＦから内向きに窪んだ係止面ＥＮを有する係止部３１，３１とを有して、全体として略リング形状に一体成形されている。
【００２７】
ここで、円環部３０及び係止部３１とも、断面視が薄板状であり、図３のＡ−Ａ断面図に示す通り、その外周縁は、全周にわたって、直角を回避する面取り形状になっている。
【００２８】
また、円環部３０及び係止部３１とも、径方向に伸縮可能な幅寸法を有している。そのため、例えば、図３（ｂ）の上下方向や左右方向に、多少伸縮させることができ、巻線ホルダＨＤを第一方向に縮小させると、これに対応して、その巻線ホルダＨＤが第二方向に伸張される。
【００２９】
円環部３０は、その中央部を除いて、円弧面ＳＦを形成する第一半径Ｒ１の外周面と、第一半径Ｒ１より短い第二半径Ｒ２の内周面とで、径方向に同一の板幅に形成されている。一方、円環部３０の中央部には、板幅が増加する補強リブＲＶが形成されており、上記した伸縮時の変形強度を確保している。
【００３０】
係止部３１の外周面を構成する係止面ＥＮは、前記の通り、円環部３０の円弧面ＳＦから内向きに窪んで形成されており、その全部又は一部が、第三半径Ｒ３の円弧面となっている。また、係止部３１の内周面は、その全部又は一部が、第三半径Ｒ３より大きい第四半径Ｒ４の円弧面となっている。
【００３１】
なお、係止部３１の外周面や内周面を構成する円弧面は、円環部３０の外周面ＳＦとは逆曲率であり、巻線ホルダＨＤの外側に曲率中心を有している。
【００３２】
ところで、円環部３０の外周面ＳＦの直径２＊Ｒ１（外径寸法）は、巻き束ねられたコイル巻線ＷＲの最大内径Φ１よりやや長く設定されている。一方、径方向一方側と他方側に位置する一対の係止部３１の係止面ＥＮの間の最短距離Ｌは、コイル巻線ＷＲの最大内径Φ１とほぼ同一に設定されている。但し、巻線ホルダＨＤに多少の伸縮性がある上に、巻き束ねられたコイル巻線ＷＲは、その形状を変形させることもできるので、コイル巻線ＷＲを適切に保持することができる。
【００３３】
以下、この点を図４に基づいて説明する。巻線ホルダＨＤの外径寸法（２＊Ｒ１）は、コイル巻線ＷＲの最大内径Φ１よりやや長く設定されているので、そのままでは、コイル巻線ＷＲの内部に巻線ホルダＨＤを配置することはできない。
【００３４】
そこで、図４（ａ）に示すように、例えば、下方の係止部３１に、巻き束ねられたコイル巻線ＷＲを固定させた状態で、コイル巻線ＷＲを時計方向に回転させる。すると、楕円状に巻き束ねられたコイル巻線ＷＲが、径方向外向きにやや伸張されると共に、巻線ホルダＨＤが径方向内向きに収縮されることで、コイル巻線ＷＲを上方の係止部３１に滑り込ませることができる（図４（ｂ）参照）。
【００３５】
なお、この取付け作業では、必要に応じて、コイル巻線ＷＲの巻き束ね形状を、図示の上下方向に広げて、より細長い楕円形状に変形させても良い。また、コイル巻線ＷＲを巻線ホルダＨＤに滑り込ませた後、コイル巻線ＷＲの楕円形状を、幅方向に広げて、より丸い円形状に近づけることで、保持状態を確実化することもできる。
【００３６】
何れにしても、下方の係止部３１にコイル巻線ＷＲの一端を固定させた状態で、コイル巻線ＷＲの他端を上方の係止部３１に滑り込ませると、巻き束ねられたコイル巻線ＷＲが、巻き出し可能に巻線ホルダＨＤに保持される（図４（ｃ）参照）。そして、コイル巻線ＷＲが巻き出されるに応じて、巻き束ねられたコイル巻線ＷＲと巻線ホルダＨＤとが一体的に転がることで、コイル巻線が絡まったり、折り返されることが防止される。
【００３７】
図５は、補助部材ＳＵＢと一体化されたコイルボビンＢＯＢにコイル巻線ＷＲを手巻きする状態を示す図面である。この場合には、コイル巻線ＷＲをコイルボビンＢＯＢの通過穴３を通した後に、補助部材ＳＵＢの係止溝ＧＶに複数回巻き付けることで、手巻き作業を開始することができる。そして、補助部材ＳＵＢを保持した状態で、コイルボビンＢＯＢの円筒本体部１にコイル巻線ＷＲを必要回数だけ手巻きする。
【００３８】
この場合、巻き束ねられたコイル巻線ＷＲと巻線ホルダＨＤとが一体的に転がるので、コイル巻線ＷＲを支障なく巻き出して、手巻き作業を円滑に続けることができる。なお、突出軸部１１の外径寸法が、コイルボビンＢＯＢの貫通穴ＨＯの内径寸法にほぼ一致して、両者が一体化されているので、コイル巻線ＷＲをコイルボビンＢＯＢに強く締め付けても、コイルボビンＢＯＢが回るおそれは無い。
【００３９】
以上、本考案の実施例について具体的に説明したが、具体的な記載内容は特に本考案を限定する趣旨ではなく、適宜に変更可能である。
【００４０】
例えば、巻線ホルダＨＤは、全体として閉じた形状であれば、各部の形状は特に限定されない。特に、係止部３１の形状は適宜であり、その個数も必ずしも二個である必要はなく、適宜な偶数個であっても良い。また、円環部３０の形状も適宜に変更することができ、例えば、補強リブＲＶを省略しても良い。図７は、このような変形構成の巻線ホルダを図示したものであり、正面図と、側面図と、平面図と、斜視図とを示している。
【００４１】
また、補助部材ＳＵＢの形状も適宜であり、例えば、図８のような形状であっても良い。この変形例では、矩形本体部１０の開口が小さく、開口上部は、板材で埋められている。一方、突出軸部１１は、単純な円柱形状ではなく、水平方向に貫通する切込み溝が形成されている。そのため、突出軸部１１は、やや圧縮状態でコイルボビンＢＯＢの貫通穴ＨＯに挿入されることになり、加圧状態で貫通穴ＨＯに埋没するので、補助部材ＳＵＢとコイルボビンＢＯＢとの一体強度に優れている。
【００４２】
更にまた、巻線ホルダＨＤは、必ずしも、略リング状である必要はなく、例えば、図９のような屈曲形状でも良い。この場合、使用時に横方向となる左右一対の外側部３０，３０と、使用時の縦方向となる上下一対の内側部３１，３１とが、上下左右に伸縮可能な幅寸法を有して一体的に連設されている。そして、内側部３１に形成された上下溝４０，４０が、コイル巻線ＷＲの係止部として機能する。なお、図示例では、横長形状となっているが、縦長形状であっても良いのは勿論である。
【符号の説明】
【００４３】
ＨＤ    巻線ホルダ
ＷＲ    コイル巻線
Ｏ    曲率中心
Ｒ１    同一半径Ｒ１
ＳＦ    円弧面
３０    円環部
ＥＮ    係止面
３１    係止部
Ｌ    係止面の間の最短距離
Φ１    コイル巻線の最大内径
【図７】
0003177701.tif 000003
【図８】
0003177701.tif 000004
【図９】
0003177701.tif 000005
【図１】
0003177701.tif 000006
【図２】
0003177701.tif 000007
【図３】
0003177701.tif 000008
【図４】
0003177701.tif 000009
【図５】
0003177701.tif 000010
【図６】
0003177701.tif 000011
【手続補正書】
【提出日】平成24年6月7日(2012.6.7)
【手続補正１】
【補正対象書類名】実用新案登録請求の範囲
【補正対象項目名】全文
【補正方法】変更
【補正の内容】
【実用新案登録請求の範囲】
【請求項１】
コイルボビンに多数回巻かれるコイル巻線を、巻き出し可能に保持する巻線ホルダであって、
第一方向とこれに直交する第二方向に伸縮可能な幅寸法を有して、全体として閉じた形状に形成され、この閉じた形状の一部を内向きに変形させることで、一対の係止部が形成され、
前記一対の係止部の最小離間距離は、多数巻して略円形に束ねられたコイル巻線の装着状態において、その最大内径とほぼ同一に設定され、巻線ホルダに保持されたコイル巻線が、略円形の束ね形状をほぼ維持するよう構成されていることを特徴とする巻線ホルダ。
【請求項２】
第一方向には、所定の曲率中心に基づいて、同一半径の円弧面を有する一対の円環部が形成され、
第二方向には、円環部の円弧面から内向きに窪んだ係止面を有する一対の係止部が形成されることで、全体として略リング形状に形成されている請求項１に記載の巻線ホルダ。
【請求項３】
合成樹脂材料によって一体成形されている巻線ホルダであって、
前記係止部は、略リング形状の二箇所にだけ設けられている請求項２に記載の巻線ホルダ。
【請求項４】
前記係止部の係止面の全部又は一部は、略リング形状の外側に曲率中心が位置する逆曲率の円弧面を有して形成されている請求項２又は３に記載の巻線ホルダ。
【請求項５】
請求項１〜請求項４の何れかに記載のコイルボビンと巻線ホルダとコイル巻線とを含んで構成された理科教材セット。
【請求項６】
請求項１〜請求項４の何れかに記載のコイルボビンと巻線ホルダとを含むと共に、電磁石の製作時にコイルボビンの貫通穴に挿入される補助部材を更に含んで構成された理科教材セット。
【手続補正２】
【補正対象書類名】明細書
【補正対象項目名】０００９
【補正方法】変更
【補正の内容】
【０００９】
本考案の巻線ホルダは、典型的には、図３に示すような略リング形状であり、第一方向には、所定の曲率中心に基づいて、同一半径の円弧面を有する一対の円環部が形成され、第二方向には、円環部の円弧面から内向きに窪んだ係止面を有する一対の係止部が形成されることで、全体として略リング形状に形成されるのが好ましい。
【手続補正３】
【補正対象書類名】明細書
【補正対象項目名】００１４
【補正方法】変更
【補正の内容】
【００１４】
また、本考案は、請求項１〜請求項４の何れかに記載のコイルボビンと巻線ホルダとコイル巻線とを含んで構成された理科教材セットでもある。あるいは、請求項１〜請求項４の何れかに記載のコイルボビンと巻線ホルダとを含むと共に、電磁石の製作時にコイルボビンの貫通穴に挿入される補助部材を更に含んで構成された理科教材セットでもある。